(57)【要約】  入力される映像信号で示される画像とは異なるサイズの画像の出力信号を出力するように、映像信号を処理する映像信号処理装置（１００）であって、符号化された映像信号を復号し復号信号を生成するデコーダ（１１０）と、デコーダ（１１０）に接続され、デコーダ（１１０）が生成した復号信号を記憶しているデコードバッファ（１１１）と、復号信号の１垂直同期期間内での映像有効期間が出力信号の１垂直同期期間内での映像有効期間と同じ値になるように変更された復号信号を変更復号信号としてデコードバッファ（１１１）から読み出し、読み出した変更復号信号を出力する復号信号変更部（１２０）と、変更復号信号をメモリに書き込み読み出すことで、変更復号信号のノイズを低減するとともに、変更復号信号をＩＰ変換するＮＲ／ＩＰ変換部（１４０）とを備える。
2011114633.tif 000002
【特許請求の範囲】
【請求項１】
入力される映像信号で示される画像とは異なるサイズの画像の出力信号を出力するように、前記映像信号を処理する映像信号処理装置であって、
符号化された前記映像信号を復号し復号信号を生成するデコーダと、
前記デコーダに接続され、前記デコーダが生成した復号信号を記憶しているデコードバッファと、
前記復号信号の１垂直同期期間内での映像有効期間が前記出力信号の１垂直同期期間内での映像有効期間と同じ値になるように変更された前記復号信号を変更復号信号として前記デコードバッファから読み出し、読み出した前記変更復号信号を出力する復号信号変更部と、
出力された前記変更復号信号をメモリに書き込み読み出すことで、時間的に前後する前記変更復号信号を用いて前記変更復号信号のノイズを低減するとともに、前記変更復号信号がインタレース方式の場合に前記変更復号信号をインタレース方式からプログレッシブ方式に変換するＮＲ／ＩＰ変換部と
を備える映像信号処理装置。
【請求項２】
前記ＮＲ／ＩＰ変換部は、符号化されていない映像信号である非圧縮信号が入力された場合に、前記非圧縮信号を前記メモリに書き込み読み出すことで、時間的に前後する前記非圧縮信号を用いて前記非圧縮信号のノイズを低減するとともに、前記非圧縮信号がインタレース方式の場合に前記非圧縮信号をインタレース方式からプログレッシブ方式に変換して出力し、
前記映像信号処理装置は、さらに、
前記ＮＲ／ＩＰ変換部が出力した非圧縮信号を前記デコードバッファに記憶させるとともに、前記非圧縮信号の１垂直同期期間内での映像有効期間が前記出力信号の１垂直同期期間内での映像有効期間と同じ値になるように変更された前記非圧縮信号を変更非圧縮信号として前記デコードバッファから読み出し、読み出した前記変更非圧縮信号を出力する非圧縮信号変更部と、
前記ＮＲ／ＩＰ変換部に前記非圧縮信号が入力された場合に、前記デコーダに前記復号信号の生成を停止させる切替部とを備える
請求項１に記載の映像信号処理装置。
【請求項３】
さらに、
前記非圧縮信号変更部が出力した変更非圧縮信号のフレームレートを前記出力信号のフレームレートに変換するフレームシンクロ部を備える
請求項２に記載の映像信号処理装置。
【請求項４】
さらに、
前記非圧縮信号変更部が出力した変更非圧縮信号のフレームレートを前記出力信号のフレームレートに変換するフレームシンクロを、前記非圧縮信号変更部の前記デコードバッファとの書き込みと読み出しを用いて行うフレームシンクロ部を備える
請求項２に記載の映像信号処理装置。
【請求項５】
前記復号信号変更部は、１垂直同期期間内での映像有効期間の割合を有効割合とし、前記復号信号の有効割合が前記出力信号の有効割合と同じ値になるように、前記復号信号の映像有効期間を変更して、変更した前記映像有効期間の復号信号を前記変更復号信号として前記デコードバッファから読み出し、読み出した前記変更復号信号を出力する
請求項１〜４のいずれか１項に記載の映像信号処理装置。
【請求項６】
前記復号信号変更部は、
１垂直同期期間内での垂直ライン数である垂直全ライン数に対する映像有効期間内での垂直ライン数である垂直有効ライン数の割合を前記有効割合とし、
前記変更復号信号の有効割合が前記出力信号の有効割合と同じ値になるように、前記復号信号の垂直全ライン数を変更して、変更した前記垂直全ライン数の復号信号を前記変更復号信号として前記デコードバッファから読み出し、読み出した前記変更復号信号を出力する
請求項５に記載の映像信号処理装置。
【請求項７】
前記復号信号変更部は、
前記復号信号の垂直有効ライン数を取得する取得部と、
取得された前記復号信号の垂直有効ライン数を用いて、前記変更復号信号の垂直全ライン数を算出する算出部と、
算出された前記垂直全ライン数に変更した前記変更復号信号を前記デコードバッファから読み出し、読み出した前記変更復号信号を出力する読出部とを備える
請求項６に記載の映像信号処理装置。
【請求項８】
前記取得部は、さらに、前記出力信号のフォーマットの種別を示す情報を取得し、
前記算出部は、取得された前記情報で示されるフォーマットに対応した前記出力信号の垂直全ライン数と垂直有効ライン数とをさらに用いて、前記変更復号信号の垂直全ライン数を算出する
請求項７に記載の映像信号処理装置。
【請求項９】
さらに、
前記復号信号変更部が出力した変更復号信号にＯＳＤ（Ｏｎ  Ｓｃｒｅｅｎ  Ｄｉｓｐｌａｙ）信号を合成するＯＳＤ合成部を備え、
前記ＮＲ／ＩＰ変換部は、前記ＯＳＤ合成部がＯＳＤ信号を合成した変更復号信号のノイズを低減するとともに、前記変更復号信号をインタレース方式からプログレッシブ方式に変換する
請求項１〜８のいずれか１項に記載の映像信号処理装置。
【請求項１０】
前記デコーダは、三次元画像用の前記映像信号を復号した前記復号信号を生成し、
前記デコードバッファは、前記デコーダが生成した三次元画像用の前記復号信号を記憶しており、
前記復号信号変更部は、前記デコードバッファから、三次元画像用の前記変更復号信号を読み出し、出力する
請求項１〜９のいずれか１項に記載の映像信号処理装置。
【請求項１１】
入力される映像信号で示される画像とは異なるサイズの画像の出力信号を出力するように、前記映像信号を処理する映像信号処理装置による映像信号処理方法であって、
前記映像信号処理装置は、デコーダと、前記デコーダに接続され前記デコーダが生成した復号信号を記憶しているデコードバッファとを備え、
前記映像信号処理方法は、
前記デコーダが、符号化された前記映像信号を復号し復号信号を生成する復号ステップと、
前記復号信号の１垂直同期期間内での映像有効期間が前記出力信号の１垂直同期期間内での映像有効期間と同じ値になるように変更された前記復号信号を変更復号信号として前記デコードバッファから読み出し、読み出した前記変更復号信号を出力する復号信号変更ステップと、
出力された前記変更復号信号をメモリに書き込み読み出すことで、時間的に前後する前記変更復号信号を用いて前記変更復号信号のノイズを低減するとともに、前記変更復号信号がインタレース方式の場合に前記変更復号信号をインタレース方式からプログレッシブ方式に変換するＮＲ／ＩＰ変換ステップと
を含む映像信号処理方法。
【発明の詳細な説明】
【技術分野】
【０００１】
本発明は、入力される映像信号で示される画像とは異なるサイズの画像の出力信号を出力するように、映像信号を処理する映像信号処理装置及び映像信号処理方法に関する。
【背景技術】
【０００２】
従来、視聴者が立体的に感じる二次元画像である三次元画像を表示するための映像信号処理装置が知られている。また、近年では、このような三次元画像を表示する機能を有する家庭用テレビが実現されつつある。【０００３】
そして、この映像信号処理装置は、映像信号を入力して、当該映像信号を処理することで、三次元画像を表示パネルに表示させる。【０００４】
図１７は、従来の映像信号処理装置３００による映像信号の処理を説明する図である。【０００５】
同図に示すように、従来の映像信号処理装置３００では、まず、放送波などの符号化されたビデオストリームの映像信号が、デコーダ３１０に入力される。そして、デコーダ３１０は、当該映像信号を復号して復号信号を生成し、当復号信号をデコードバッファ３１１に書き込む。そして、映像読出部３２０は、デコードバッファ３１１から復号信号を読み出す。【０００６】
また、ＯＳＤ合成部３３０は、ＯＳＤ信号記憶部３３１に記憶されているＯＳＤ（Ｏｎ  Ｓｃｒｅｅｎ  Ｄｉｓｐｌａｙ）信号を読み出し、復号信号に合成する。【０００７】
そして、ＮＲ／ＩＰ変換部３４０は、ＯＳＤ信号が合成された復号信号をＮＲ／ＩＰ変換信号記憶部３４１に書き込み、またＮＲ／ＩＰ変換信号記憶部３４１から当該復号信号を読み出すことで、復号信号のノイズを低減するとともに、復号信号をインタレース方式からプログレッシブ方式に変換（以下、「ＩＰ変換」という）する。【０００８】
そして、走査線変換部３５０は、リサイズ信号記憶部３５１に復号信号を書き込み、またリサイズ信号記憶部３５１から復号信号を読み出すことで、復号信号の垂直スケーリングのリサイズ（走査線変換）を行う。これにより、走査線変換部３５０は、復号信号のフォーマットを、表示パネルに表示させるためのフォーマットに変換する。【０００９】
ここで、これらのデコードバッファ３１１、ＯＳＤ信号記憶部３３１、ＮＲ／ＩＰ変換信号記憶部３４１及びリサイズ信号記憶部３５１は、ＤＲＡＭ（Ｄｙｎａｍｉｃ  Ｒａｎｄｏｍ  Ａｃｃｅｓｓ  Ｍｅｍｏｒｙ）３８０の記憶領域である。【００１０】
このようにして、映像信号処理装置３００は、映像信号を入力して、当該映像信号を処理することで、三次元画像を表示パネルに表示させる。【００１１】
また、ＩＰ変換に必要なメモリと走査線変換に必要なメモリとを共用する映像信号処理装置が提案されている（例えば、特許文献１参照）。【００１２】
図１８は、特許文献１に開示されている従来の映像信号処理装置による映像信号の処理を説明する図である。【００１３】
同図に示すように、映像信号変換装置は、画素変換装置１とフィールドメモリ部７とを備えている。そして、画素変換装置１は、メモリ制御処理部２、ＩＰ変換処理部３、走査線変換処理部４、水平画素変換処理部５及び同期処理部６を備えている。【００１４】
そして、ＩＰ変換処理部３は、ＩＰ変換が必要な映像信号に対して、フィールドメモリ部７をＩＰ変換用のメモリとして使用する。また、走査線変換処理部４は、走査線変換が必要な映像信号に対して、フィールドメモリ部７を走査線変換用のメモリとして使用する。【００１５】
このように、ＩＰ変換処理部３と走査線変換処理部４とがフィールドメモリ部７を共用することで、ＤＲＡＭのメモリ使用量を低減することができる。
【先行技術文献】
【特許文献】
【００１６】
【特許文献１】特許第３９９８３９９号公報
【発明の概要】
【発明が解決しようとする課題】
【００１７】
しかしながら、上記従来の映像信号処理装置では、ＤＲＡＭのメモリ容量及び処理量が大きくなるという問題がある。【００１８】
つまり、図１７に示された従来の映像信号処理装置では、ＤＲＡＭに多くのデータが記憶されているため、ＤＲＡＭのメモリ容量が大きくなる。また、ＤＲＡＭと各処理部との間でデータ転送が行われるため、単位時間当たりのデータ転送量が大きくなり、ＤＲＡＭのメモリ処理量が大きくなる。【００１９】
また、図１８に示された従来の映像信号処理装置では、ＩＰ変換と走査線変換とをメモリを共用して行うことで、ＤＲＡＭのメモリ使用量を低減しているが、入力される映像信号のノイズの低減は行われていない。そして、この従来の映像信号処理装置において、入力される映像信号のノイズ低減を行う場合には、ＤＲＡＭの記憶領域が追加で必要になる。【００２０】
図１９Ａ及び図１９Ｂは、従来の映像信号処理装置が映像信号のノイズ低減を行う場合に、ＤＲＡＭの記憶領域が追加で必要になることを説明する図である。【００２１】
具体的には、図１９Ａは、映像信号がインタレース方式の場合に、ＩＰ変換と走査線変換とを行うために映像信号をフィールドメモリ部７に書き込み読み出す処理を説明する図である。また、図１９Ｂは、映像信号がインタレース方式の場合に、ＩＰ変換と走査線変換とノイズ低減とを行うために映像信号をフィールドメモリ部７に書き込み読み出す処理を説明する図である。【００２２】
図１９Ａに示すように、ＩＰ変換と走査線変換とを行うためには、まず、フィールドメモリ部７には、現在の映像信号（同図に示す現信号）が記憶される。そして、映像信号の１フィールド前の信号（同図に示す１Ｆ前信号）と２フィールド前の信号（同図に示す２Ｆ前信号）とが読み出される。【００２３】
また、図１９Ｂに示すように、ＩＰ変換と走査線変換とノイズ低減とを行うためには、まず、フィールドメモリ部７に、ノイズ低減のための処理部（同図に示すＮＲ）でノイズが低減された映像信号が記憶される。そして、ノイズ低減のための映像信号の２フィールド前の信号と、リサイズ後フォーマットの映像信号の１フィールド前の信号と２フィールド前の信号と現信号とが読み出される。【００２４】
このように、ＩＰ変換と走査線変換に加えてノイズ低減を行う場合には、ＩＰ変換と走査線変換とを行う場合に比べて、多くの信号を読み出さなければならず、データ転送量が増加するため、ノイズ低減を行うためのＤＲＡＭの記憶領域が追加で必要になる。【００２５】
そこで、本発明は、このような問題に鑑みてなされたものであり、ＤＲＡＭのメモリ容量及び処理量を低減することができる映像信号処理装置及び映像信号処理方法を提供することを目的とする。
【課題を解決するための手段】
【００２６】
上記目的を達成するために、本発明に係る映像信号処理装置は、入力される映像信号で示される画像とは異なるサイズの画像の出力信号を出力するように、前記映像信号を処理する映像信号処理装置であって、符号化された前記映像信号を復号し復号信号を生成するデコーダと、前記デコーダに接続され、前記デコーダが生成した復号信号を記憶しているデコードバッファと、前記復号信号の１垂直同期期間内での映像有効期間が前記出力信号の１垂直同期期間内での映像有効期間と同じ値になるように変更された前記復号信号を変更復号信号として前記デコードバッファから読み出し、読み出した前記変更復号信号を出力する復号信号変更部と、出力された前記変更復号信号をメモリに書き込み読み出すことで、時間的に前後する前記変更復号信号を用いて前記変更復号信号のノイズを低減するとともに、前記変更復号信号がインタレース方式の場合に前記変更復号信号をインタレース方式からプログレッシブ方式に変換するＮＲ／ＩＰ変換部とを備える。【００２７】
これによれば、復号信号の１垂直同期期間内での映像有効期間が出力信号の１垂直同期期間内での映像有効期間と同じ値になるように変更された変更復号信号を、デコードバッファから読み出し、変更復号信号を出力する。つまり、デコードバッファから復号信号を読み出す際に、リサイズを行うために変更された復号信号をデコードバッファから直接読み出すことで、復号信号の垂直スケーリングのリサイズを行うことができる。これにより、図１７に示されたようなリサイズ信号記憶部３５１がなくても、復号信号の垂直スケーリングのリサイズを行うことができる。このため、ＤＲＡＭ３８０からリサイズ信号記憶部３５１のメモリ容量を削除することができ、リサイズ信号記憶部３５１と処理部との間のデータ転送量を削減することができる。また、メモリの記憶領域を共用して、ノイズ低減とＩＰ変換とを行うことができるため、ノイズ低減を行う場合でもＤＲＡＭの記憶領域を追加で必要としない。したがって、ＤＲＡＭのメモリ容量及び処理量を低減することができる。【００２８】
また、好ましくは、前記ＮＲ／ＩＰ変換部は、符号化されていない映像信号である非圧縮信号が入力された場合に、前記非圧縮信号を前記メモリに書き込み読み出すことで、時間的に前後する前記非圧縮信号を用いて前記非圧縮信号のノイズを低減するとともに、前記非圧縮信号がインタレース方式の場合に前記非圧縮信号をインタレース方式からプログレッシブ方式に変換して出力し、前記映像信号処理装置は、さらに、前記ＮＲ／ＩＰ変換部が出力した非圧縮信号を前記デコードバッファに記憶させるとともに、前記非圧縮信号の１垂直同期期間内での映像有効期間が前記出力信号の１垂直同期期間内での映像有効期間と同じ値になるように変更された前記非圧縮信号を変更非圧縮信号として前記デコードバッファから読み出し、読み出した前記変更非圧縮信号を出力する非圧縮信号変更部と、前記ＮＲ／ＩＰ変換部に前記非圧縮信号が入力された場合に、前記デコーダに前記復号信号の生成を停止させる切替部とを備える。【００２９】
これによれば、非圧縮信号が入力された場合に、復号処理を停止するとともに、デコードバッファに非圧縮信号を書き込み、デコードバッファから変更非圧縮信号を読み出す。つまり、非圧縮信号が入力された場合は、復号処理を停止できるため、デコードバッファには復号信号の代わりに非圧縮信号を記憶させることができる。このため、ＤＲＡＭのデコードバッファの記憶領域を非圧縮信号に割り当てることができるため、デコードバッファを用いて非圧縮信号の垂直スケーリングのリサイズを行うことができる。また、非圧縮信号が入力された場合でも、メモリの１つの記憶領域を共用してノイズ低減とＩＰ変換とを行うことができるため、ノイズ低減を行ってもＤＲＡＭの記憶領域を追加で必要としない。したがって、非圧縮信号が入力される場合でも、ＤＲＡＭのメモリ容量及び処理量を低減することができる。【００３０】
また、好ましくは、さらに、前記非圧縮信号変更部が出力した変更非圧縮信号のフレームレートを前記出力信号のフレームレートに変換するフレームシンクロ部を備える。【００３１】
これによれば、非圧縮信号変更部が出力した変更非圧縮信号は、ＩＰ変換が行われているため、プログレッシブ方式に変換されている。ここで、インタレース方式の映像信号をフレームレート変換する場合は、プログレッシブ方式の映像信号をフレームレート変換する場合に比べて、フレームレート変換の性能が劣る。このため、ＩＰ変換が行われた変更非圧縮信号をフレームレート変換することで、フレームレート変換の性能低下を抑制しつつ、ＤＲＡＭのメモリ容量及び処理量を低減することができる。【００３２】
また、さらに、前記非圧縮信号変更部が出力した変更非圧縮信号のフレームレートを前記出力信号のフレームレートに変換するフレームシンクロを、前記非圧縮信号変更部の前記デコードバッファとの書き込みと読み出しを用いて行うフレームシンクロ部を備えることにしてもよい。【００３３】
これによれば、フレームシンクロ部におけるフレームレート変換は、非圧縮信号変更部におけるデコードバッファを用いることも可能である。つまり、非圧縮信号変換部とフレームシンクロ部とが順に処理するのではなく、非圧縮信号変換部によるデコードバッファへの書き込みと読み出しの処理と同時にフレームレート変換の処理を行うこともできる。これにより、非圧縮信号変換部による処理とフレームシンクロ部による処理をデコードバッファを用いて同時に行うことができ、ＤＲＡＭのメモリ容量及び処理量を低減することができる。【００３４】
また、好ましくは、前記復号信号変更部は、１垂直同期期間内での映像有効期間の割合を有効割合とし、前記復号信号の有効割合が前記出力信号の有効割合と同じ値になるように、前記復号信号の映像有効期間を変更して、変更した前記映像有効期間の復号信号を前記変更復号信号として前記デコードバッファから読み出し、読み出した前記変更復号信号を出力する。【００３５】
これによれば、復号信号の有効割合が出力信号の有効割合と同じ値になるように、復号信号の映像有効期間を変更して、変更した映像有効期間の復号信号を変更復号信号としてデコードバッファから読み出し、出力する。つまり、復号信号の映像有効期間を変更してデコードバッファから読み出すことで、復号信号の垂直スケーリングのリサイズを行うことができ、ＤＲＡＭのメモリ容量及び処理量を低減することができる。【００３６】
また、好ましくは、前記復号信号変更部は、１垂直同期期間内での垂直ライン数である垂直全ライン数に対する映像有効期間内での垂直ライン数である垂直有効ライン数の割合を前記有効割合とし、前記変更復号信号の有効割合が前記出力信号の有効割合と同じ値になるように、前記復号信号の垂直全ライン数を変更して、変更した前記垂直全ライン数の復号信号を前記変更復号信号として前記デコードバッファから読み出し、読み出した前記変更復号信号を出力する。【００３７】
これによれば、復号信号の垂直全ライン数を変更して、変更した垂直全ライン数の復号信号を変更復号信号としてデコードバッファから読み出し、出力する。つまり、復号信号の垂直全ライン数を変更してデコードバッファから読み出すことで、復号信号の垂直スケーリングのリサイズを行うことができ、ＤＲＡＭのメモリ容量及び処理量を低減することができる。【００３８】
また、好ましくは、前記復号信号変更部は、前記復号信号の垂直有効ライン数を取得する取得部と、取得された前記復号信号の垂直有効ライン数を用いて、前記変更復号信号の垂直全ライン数を算出する算出部と、算出された前記垂直全ライン数に変更した前記変更復号信号を前記デコードバッファから読み出し、読み出した前記変更復号信号を出力する読出部とを備える。【００３９】
これによれば、復号信号の垂直有効ライン数を取得して、変更復号信号の垂直全ライン数を算出することで、算出された垂直全ライン数に変更した変更復号信号をデコードバッファから読み出し、出力する。このため、例えば、ユーザが設定した任意の垂直有効ライン数を取得することで、当該垂直有効ライン数に応じた変更復号信号をデコードバッファから読み出すことができる。これにより、ＤＲＡＭのメモリ容量及び処理量を低減することができる。【００４０】
また、好ましくは、前記取得部は、さらに、前記出力信号のフォーマットの種別を示す情報を取得し、前記算出部は、取得された前記情報で示されるフォーマットに対応した前記出力信号の垂直全ライン数と垂直有効ライン数とをさらに用いて、前記変更復号信号の垂直全ライン数を算出する。【００４１】
これによれば、出力信号のフォーマットの種別を示す情報を取得して、変更復号信号の垂直全ライン数を算出することで、算出された垂直全ライン数に変更した変更復号信号をデコードバッファから読み出し、出力する。このため、例えば、ユーザが設定した任意の出力信号のフォーマットの種別を示す情報を取得することで、当該フォーマットに応じた変更復号信号をデコードバッファから読み出すことができる。これにより、ＤＲＡＭのメモリ容量及び処理量を低減することができる。【００４２】
また、好ましくは、さらに、前記復号信号変更部が出力した変更復号信号にＯＳＤ（Ｏｎ  Ｓｃｒｅｅｎ  Ｄｉｓｐｌａｙ）信号を合成するＯＳＤ合成部を備え、前記ＮＲ／ＩＰ変換部は、前記ＯＳＤ合成部がＯＳＤ信号を合成した変更復号信号のノイズを低減するとともに、前記変更復号信号をインタレース方式からプログレッシブ方式に変換する。【００４３】
これによれば、復号信号が変更された後に、ＯＳＤ信号が合成され、ノイズ低減とＩＰ変換が行われる。このため、図１７に示されたようなリサイズ信号記憶部３５１がなくても、復号信号の垂直スケーリングのリサイズを行うために変更され、ＯＳＤ合成、及びＩＰ変換が行われた復号信号を生成することができる。したがって、ＤＲＡＭのメモリ容量及び処理量を低減することができる。【００４４】
また、好ましくは、前記デコーダは、三次元画像用の前記映像信号を復号した前記復号信号を生成し、前記デコードバッファは、前記デコーダが生成した三次元画像用の前記復号信号を記憶しており、前記復号信号変更部は、前記デコードバッファから、三次元画像用の前記変更復号信号を読み出し、出力する。【００４５】
これによれば、本発明に係る映像信号処理装置を、三次元画像用の映像信号処理装置として使用することができ、三次元画像用の映像信号処理装置において、ＤＲＡＭのメモリ容量及び処理量を低減することができる。【００４６】
なお、本発明は、このような映像信号処理装置として実現できるだけでなく、映像信号処理装置に含まれる特徴的な処理をステップとする映像信号処理装置の制御方法、又は映像信号処理方法として実現したり、そのような特徴的なステップをコンピュータに実行させるプログラムとして実現したりすることもできる。そして、そのようなプログラムは、ＣＤ−ＲＯＭ等の記録媒体及びインターネット等の伝送媒体を介して流通させることができるのは言うまでもない。【００４７】
さらに、本発明は、このような映像信号処理装置の機能の一部又は全てを実現する半導体集積回路（ＬＳＩ）として実現したり、このような映像信号処理装置を備えるデジタルテレビ等の映像信号処理装置として実現したり、このような映像信号処理装置を含む三次元画像表示システムとして実現したりできる。
【発明の効果】
【００４８】
以上より、本発明は、ＤＲＡＭのメモリ容量及び処理量を低減することができる映像信号処理装置を提供することができる。
【図面の簡単な説明】
【００４９】
【図１】図１は、実施の形態１に係る三次元画像表示システムの機能構成を示すブロック図である。
【図２】図２は、実施の形態１に係る映像信号処理装置の機能構成を示すブロック図である。
【図３】図３は、実施の形態１に係る映像信号処理装置が行う映像信号の処理の一例を示すフローチャートである。
【図４】図４は、実施の形態１に係る復号信号変更部が変更復号信号を読み出して出力する処理の一例を示すフローチャートである。
【図５】図５は、実施の形態１に係る復号信号の垂直ライン数と出力信号の垂直ライン数とを説明する図である。
【図６Ａ】図６Ａは、実施の形態１に係る復号信号の垂直ライン数と出力信号の垂直ライン数とを説明する図である。
【図６Ｂ】図６Ｂは、実施の形態１に係る復号信号の垂直ライン数と出力信号の垂直ライン数とを説明する図である。
【図７Ａ】図７Ａは、従来の走査線変換部がリサイズを行うために復号信号を変更する処理を説明する図である。
【図７Ｂ】図７Ｂは、従来の走査線変換部がリサイズを行うために復号信号を変更する処理を説明する図である。
【図８】図８は、実施の形態１に係る読出部が変更復号信号をデコードバッファから読み出す処理を説明する図である。
【図９Ａ】図９Ａは、従来のＮＲ／ＩＰ変換部が行う処理にＮＲ／ＩＰ変換信号記憶部が必要であることを説明する図である。
【図９Ｂ】図９Ｂは、従来のＮＲ／ＩＰ変換部が行う処理にＮＲ／ＩＰ変換信号記憶部が必要であることを説明する図である。
【図１０Ａ】図１０Ａは、従来の走査線変換部がＮＲ／ＩＰ変換信号記憶部からリサイズ後フォーマットの復号信号を読み出す場合の課題を説明する図である。
【図１０Ｂ】図１０Ｂは、従来の走査線変換部がＮＲ／ＩＰ変換信号記憶部からリサイズ後フォーマットの復号信号を読み出す場合の課題を説明する図である。
【図１１Ａ】図１１Ａは、従来の走査線変換部が行うリサイズ処理にリサイズ信号記憶部が必要であることを説明する図である。
【図１１Ｂ】図１１Ｂは、従来の走査線変換部が行うリサイズ処理にリサイズ信号記憶部が必要であることを説明する図である。
【図１１Ｃ】図１１Ｃは、従来の走査線変換部が行うリサイズ処理にリサイズ信号記憶部が必要であることを説明する図である。
【図１２】図１２は、実施の形態２に係る映像信号処理装置の機能構成を示すブロック図である。
【図１３】図１３は、実施の形態２に係る映像信号処理装置が行う映像信号の処理の一例を示すフローチャートである。
【図１４Ａ】図１４Ａは、実施の形態２に係る映像信号処理装置がフレームレート変換を行う際の効果を説明する図である。
【図１４Ｂ】図１４Ｂは、実施の形態２に係る映像信号処理装置がフレームレート変換を行う際の効果を説明する図である。
【図１５】図１５は、実施の形態２に係る映像信号処理装置が奏する効果をまとめた図である。
【図１６】図１６は、本発明に係る映像信号処理装置を備えるデジタルビデオレコーダ及びデジタルテレビの一例を示す外観図である。
【図１７】図１７は、従来の映像信号処理装置による映像信号の処理を説明する図である。
【図１８】図１８は、従来の映像信号処理装置による映像信号の処理を説明する図である。
【図１９Ａ】図１９Ａは、従来の映像信号処理装置が映像信号のノイズ低減を行う場合に、ＤＲＡＭの記憶領域が追加で必要になることを説明する図である。
【図１９Ｂ】図１９Ｂは、従来の映像信号処理装置が映像信号のノイズ低減を行う場合に、ＤＲＡＭの記憶領域が追加で必要になることを説明する図である。
【発明を実施するための形態】
【００５０】
以下、本発明に係る映像信号処理装置の実施の形態について、図面を参照しながら詳細に説明する。
【００５１】
（実施の形態１）
まず、本発明の実施の形態１に係る映像信号処理装置を含む三次元画像表示システムの構成を説明する。
【００５２】
図１は、本発明の実施の形態１に係る三次元画像表示システム１０の機能構成を示すブロック図である。
【００５３】
同図に示すように、三次元画像表示システム１０は、デジタルビデオレコーダ２０及びデジタルテレビ３０を備えている。また、デジタルビデオレコーダ２０とデジタルテレビ３０とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して接続されている。
【００５４】
デジタルビデオレコーダ２０は、ＢＤ（ブルーレイディスク）等の光ディスク４１に記録されている三次元の映像信号のフォーマットを変換し、変換した三次元の映像信号を、ＨＤＭＩケーブルを経由してデジタルテレビ３０へ出力する。
【００５５】
デジタルテレビ３０は、デジタルビデオレコーダ２０により出力される三次元の映像信号、及び放送波４２に含まれる三次元の映像信号のフォーマットを変換したうえで表示する。例えば、放送波４２は、地上デジタルテレビ放送、及び衛星デジタルテレビ放送等である。
【００５６】
なお、デジタルビデオレコーダ２０は、光ディスク４１以外の記録媒体（例えば、ハードディスクドライブ及び不揮発性メモリ等）に記録されている三次元の映像信号のフォーマットを変換してもよい。また、デジタルビデオレコーダ２０は、放送波４２に含まれる三次元の映像信号、又はインターネット等の通信網を経由して取得した三次元の映像信号のフォーマットを変換してもよい。また、デジタルビデオレコーダ２０は、外部の装置により、外部入力端子（図示せず）等に入力された三次元の映像信号のフォーマットを変換してもよい。
【００５７】
同様に、デジタルテレビ３０は、光ディスク４１及びその他の記録媒体に記録されている三次元の映像信号のフォーマットを変換してもよい。また、デジタルテレビ３０は、インターネット等の通信網を経由して取得した三次元の映像信号のフォーマットを変換してもよい。また、デジタルテレビ３０は、デジタルビデオレコーダ２０以外の外部の装置により、外部入力端子（図示せず）等に入力された三次元の映像信号のフォーマットを変換してもよい。
【００５８】
また、デジタルテレビ３０とデジタルビデオレコーダ２０とは、ＨＤＭＩケーブル以外の規格のケーブルにより接続されていてもよいし、無線通信網により接続されていてもよい。
【００５９】
デジタルビデオレコーダ２０は、入力部２１、映像信号処理装置１００Ｂ及びＨＤＭＩ通信部２２を備える。
【００６０】
入力部２１は、光ディスク４１に記録されている符号化された三次元の映像信号を取得する。
【００６１】
映像信号処理装置１００Ｂは、取得された三次元の映像信号の処理を行い、出力信号を生成する。例えば、映像信号処理装置１００Ｂは、取得された三次元の映像信号の復号を行い、復号した三次元の映像信号のフォーマットを変換することにより、出力信号を生成する。
【００６２】
ＨＤＭＩ通信部２２は、映像信号処理装置１００Ｂにより生成された出力信号を、ＨＤＭＩケーブルを経由してデジタルテレビ３０へ出力する。
【００６３】
なお、デジタルビデオレコーダ２０は、生成した出力信号を、当該デジタルビデオレコーダ２０が備える記憶部（ハードディスクドライブ及び不揮発性メモリ等）に記憶してもよいし、当該デジタルビデオレコーダ２０に着脱可能な記録媒体（光ディスク等）に記録してもよい。
【００６４】
デジタルテレビ３０は、入力部３１、ＨＤＭＩ通信部３２、映像信号処理装置１００、出力信号制御部３３及び表示パネル３４を備えている。
【００６５】
入力部３１は、放送波４２に含まれる符号化された三次元の映像信号を取得する。
【００６６】
ＨＤＭＩ通信部３２は、ＨＤＭＩ通信部２２により出力された出力信号を取得し、入力信号として出力する。
【００６７】
映像信号処理装置１００は、入力部３１から入力される信号又はＨＤＭＩ通信部３２から入力される信号を処理し、出力信号を生成する。この映像信号処理装置１００が行う処理の詳細については、後述する。
【００６８】
出力信号制御部３３は、映像信号処理装置１００が生成した出力信号を、表示パネル３４に表示させるよう、制御を行う。例えば、出力信号制御部３３は、三次元映像が表示パネル３４に表示されるように、出力信号を左眼用出力信号と右眼用出力信号とに変換し、表示パネル３４に出力する。
【００６９】
表示パネル３４は、出力信号制御部３３が出力した左眼用出力信号と右眼用出力信号とを入力し、三次元映像を表示する。例えば、ユーザが、左眼用出力信号と右眼用出力信号との表示タイミングにあわせて、開閉を行うことができる左眼用シャッタと右眼用シャッタとを備えるシャッタメガネ（図示せず）を装着することにより、当該ユーザは、表示パネル３４に表示される三次元映像を見ることができる。
【００７０】
次に、映像信号処理装置１００が行う処理の詳細について説明する。ここで、以下では、映像信号処理装置１００による、入力部３１から入力される映像信号の処理を例に説明する。
【００７１】
なお、デジタルビデオレコーダ２０が備える映像信号処理装置１００Ｂは、映像信号処理装置１００の機能の一部又は全部を有していることとする。つまり、ＨＤＭＩ通信部３２から入力される入力信号に対しては、映像信号処理装置１００Ｂが行わなかった処理を、映像信号処理装置１００が行う。
【００７２】
図２は、本実施の形態１に係る映像信号処理装置１００の機能構成を示すブロック図である。
【００７３】
映像信号処理装置１００は、入力される映像信号で示される画像とは異なるサイズの画像の出力信号を出力するように、映像信号を処理する装置である。同図に示すように、映像信号処理装置１００は、デコーダ１１０、デコードバッファ１１１、復号信号変更部１２０、ＯＳＤ合成部１３０、ＯＳＤ信号記憶部１３１、ＮＲ／ＩＰ変換部１４０、及びＮＲ／ＩＰ変換信号記憶部１４１を備えている。
【００７４】
デコーダ１１０は、入力された、符号化された映像信号を復号し、復号信号を生成する。そして、デコーダ１１０は、生成した復号信号をデコードバッファ１１１に出力して、デコードバッファ１１１に当該復号信号を記憶させる。
【００７５】
デコードバッファ１１１は、デコーダ１１０に接続され、デコーダ１１０が生成した復号信号を記憶している。なお、デコードバッファ１１１は、デジタルテレビ３０が備えるＤＲＡＭ１８０の記憶領域である。
【００７６】
復号信号変更部１２０は、復号信号の１垂直同期期間内での映像有効期間が出力信号の１垂直同期期間内での映像有効期間と同じ値になるように変更された復号信号を変更復号信号としてデコードバッファ１１１から読み出し、読み出した変更復号信号を出力する。
【００７７】
具体的には、復号信号変更部１２０は、復号信号の有効割合が出力信号の有効割合と同じ値になるように変更された復号信号を変更復号信号としてデコードバッファ１１１から読み出し、読み出した変更復号信号を出力する。つまり、復号信号変更部１２０は、リサイズを行うために復号信号を変更する。なお、復号信号のリサイズとは、復号信号で示される画像のサイズを変更することである。
【００７８】
ここで、有効割合とは、１垂直同期期間内での映像有効期間の割合である。また、映像有効期間とは、表示パネル３４に表示される映像を示す映像信号の水平同期信号が含まれる期間である。つまり、映像有効期間内の水平同期信号で示される映像信号が、表示パネル３４に表示される。
【００７９】
また、出力信号とは、映像信号処理装置１００が出力すべきフォーマットを有する映像信号であり、具体的には、表示パネル３４に表示することができるフォーマットを有する映像信号である。なお、フォーマットとは、４８０ｉや１０８０ｐなど、走査方式（プログレッシブ及びインタレース）と画像サイズとで表現される映像信号の種別である。
【００８０】
なお、ここでは、出力信号は、表示パネル３４へ出力される映像信号であるが、当該映像信号が表示パネル３４に出力される前にフレームバッファなどの記憶部に記憶される場合は、当該記憶部へ出力される映像信号であってもよい。
【００８１】
具体的には、復号信号変更部１２０は、変更復号信号の有効割合が出力信号の有効割合と同じ値になるように、復号信号の映像有効期間を変更して、変更した映像有効期間の復号信号を変更復号信号としてデコードバッファ１１１から読み出し、読み出した変更復号信号を出力する。
【００８２】
さらに具体的には、復号信号変更部１２０は、１垂直同期期間内での垂直ライン数である垂直全ライン数に対する映像有効期間内での垂直ライン数である垂直有効ライン数の割合を有効割合とし、変更復号信号の有効割合が出力信号の有効割合と同じ値になるように、復号信号の垂直全ライン数を変更して、変更した垂直全ライン数の復号信号を変更復号信号としてデコードバッファ１１１から読み出し、読み出した変更復号信号を出力する。
【００８３】
ここで、ＤＲＡＭ１８０には、デコードバッファ１１１の他にも種々の記憶領域が含まれているため、ＤＲＡＭ１８０には、復号信号変更部１２０以外にも多くの処理部がアクセスを行う。このため、復号信号変更部１２０がＤＲＡＭ１８０から変更復号信号を読み出す際に、読み出し時の揺らぎが発生し、読み出す変更復号信号の垂直ライン数に誤差が生じる。この誤差は、通常、−１ライン〜＋１ラインであり、大きくても−２ライン〜＋２ライン程度である。このため、復号信号変更部１２０が変更するライン数は、最大で−２ライン〜＋２ライン程度の誤差が許容される。
【００８４】
また、復号信号変更部１２０は、取得部１２１、算出部１２２及び読出部１２３を備えている。
【００８５】
取得部１２１は、復号信号の垂直有効ライン数と、出力信号のフォーマットの種別を示す情報とを取得する。ここで、取得部１２１は、復号信号の垂直有効ライン数を、ユーザの入力操作によって取得してもよいし、入力される映像信号を判別することにより取得してもよい。また、取得部１２１は、出力信号のフォーマットの種別を示す情報を、ユーザの入力操作によって取得してもよいし、表示パネル３４に表示可能な映像信号のフォーマットを判別することにより取得してもよい。
【００８６】
算出部１２２は、取得部１２１が取得した復号信号の垂直有効ライン数と、出力信号のフォーマットの種別を示す情報で示されるフォーマットに対応した出力信号の垂直全ライン数及び垂直有効ライン数とを用いて、変更復号信号の垂直全ライン数を算出する。
【００８７】
読出部１２３は、算出部１２２が算出した垂直全ライン数に変更した変更復号信号をデコードバッファ１１１から読み出し、読み出した変更復号信号を出力する。
【００８８】
ＯＳＤ信号記憶部１３１は、ＯＳＤ信号を記憶している。なお、ＯＳＤ信号記憶部１３１は、デジタルテレビ３０が備えるＤＲＡＭ１８０の記憶領域である。
【００８９】
ＯＳＤ合成部１３０は、復号信号変更部１２０が出力した変更復号信号に、ＯＳＤ（Ｏｎ  Ｓｃｒｅｅｎ  Ｄｉｓｐｌａｙ）信号を合成する。具体的には、ＯＳＤ合成部１３０は、ＯＳＤ信号記憶部１３１に記憶されているＯＳＤ信号を、ＯＳＤ信号記憶部１３１から読み出し、当該ＯＳＤ信号を変更復号信号に合成する。
【００９０】
ＮＲ／ＩＰ変換信号記憶部１４１は、変更復号信号のノイズを低減するとともに変更復号信号をインタレース方式からプログレッシブ方式に変換するための、デジタルテレビ３０が備えるＤＲＡＭ１８０の記憶領域である。なお、ＮＲ／ＩＰ変換信号記憶部１４１は、請求の範囲に記載の「メモリ」に相当する。
【００９１】
ＮＲ／ＩＰ変換部１４０は、ＯＳＤ合成部１３０がＯＳＤ信号を合成した変更復号信号をメモリに書き込み読み出すことで、時間的に前後する変更復号信号を用いて変更復号信号のノイズを低減するとともに、変更復号信号がインタレース方式の場合に変更復号信号をインタレース方式からプログレッシブ方式に変換する。具体的には、ＮＲ／ＩＰ変換部１４０は、当該変更復号信号をＮＲ／ＩＰ変換信号記憶部１４１に記憶させ、ＮＲ／ＩＰ変換信号記憶部１４１から、変更復号信号の現信号や１フレーム前の信号、２フレーム前の信号を読み出すことで、変更復号信号のノイズを低減し、ＩＰ変換を行う。
【００９２】
例えば、変更復号信号がインタレース方式の場合は、ＮＲ／ＩＰ変換部１４０は、当該変更復号信号をＮＲ／ＩＰ変換信号記憶部１４１に記憶させ、ＮＲ／ＩＰ変換信号記憶部１４１から変更復号信号の２フレーム前の信号を読み出して、現信号との平均化を行う。入力される映像が静止画のように動きがない画像の場合は、この平均化を繰り返すことで、ランダムノイズが低減される。なお、変更復号信号がプログレッシブ方式の場合は、ＮＲ／ＩＰ変換部１４０は、ＮＲ／ＩＰ変換信号記憶部１４１から変更復号信号の１フレーム前の信号を読み出して、現信号との平均化を行う。
【００９３】
また、ＮＲ／ＩＰ変換部１４０は、変更復号信号がインタレース方式の場合は、変更復号信号のＴｏｐフレームとＢｏｔｔｏｍフレームの二枚のフレームから、一枚のフレームを生成することで、変更復号信号をインタレース方式からプログレッシブ方式に変換する。
【００９４】
そして、ＮＲ／ＩＰ変換部１４０は、ノイズが低減されＩＰ変換が行われた変更復号信号を、出力信号制御部３３に出力する。
【００９５】
次に、映像信号処理装置１００が行う映像信号の処理の一例について、説明する。
【００９６】
図３は、本実施の形態１に係る映像信号処理装置１００が行う映像信号の処理の一例を示すフローチャートである。
【００９７】
同図に示すように、まず、デコーダ１１０に、入力信号である符号化された映像信号が入力される（Ｓ１０２）。
【００９８】
そして、デコーダ１１０は、当該映像信号を復号し、復号信号を生成する（Ｓ１０４）。
【００９９】
そして、デコーダ１１０は、生成した復号信号をデコードバッファ１１１に出力して、デコードバッファ１１１に当該復号信号を記憶させる（Ｓ１０６）。
【０１００】
次に、復号信号変更部１２０は、復号信号の有効割合が出力信号の有効割合と同じ値になるように変更された復号信号を変更復号信号としてデコードバッファ１１１から読み出し、読み出した変更復号信号を出力する（Ｓ１０８）。なお、この復号信号変更部１２０が変更復号信号を読み出して出力する処理の詳細については、後述する。
【０１０１】
そして、ＯＳＤ合成部１３０は、復号信号変更部１２０が出力した変更復号信号に、ＯＳＤ（Ｏｎ  Ｓｃｒｅｅｎ  Ｄｉｓｐｌａｙ）信号を合成する（Ｓ１１０）。具体的には、ＯＳＤ合成部１３０は、ＯＳＤ信号記憶部１３１からＯＳＤ信号を読み出し、当該ＯＳＤ信号を変更復号信号に合成する。
【０１０２】
そして、ＮＲ／ＩＰ変換部１４０は、ＯＳＤ合成部１３０がＯＳＤ信号を合成した変更復号信号のノイズを低減するとともに、当該変更復号信号を、インタレース方式からプログレッシブ方式に変換する（Ｓ１１２）。
【０１０３】
そして、ＮＲ／ＩＰ変換部１４０は、ノイズ低減及びＩＰ変換が行われた変更復号信号である出力信号を、出力信号制御部３３に出力する（Ｓ１１４）。
【０１０４】
以上のように、映像信号処理装置１００が行う映像信号の処理は終了する。
【０１０５】
次に、復号信号変更部１２０が変更復号信号を読み出して出力する処理（図３のＳ１０８）の詳細について、説明する。
【０１０６】
図４は、本実施の形態１に係る復号信号変更部１２０が変更復号信号を読み出して出力する処理の一例を示すフローチャートである。
【０１０７】
同図に示すように、まず、取得部１２１は、復号信号の垂直有効ライン数、及び出力信号のフォーマットの種別を示す情報である入力データを取得する（Ｓ２０２）。ここで、取得部１２１は、当該入力データをユーザの入力操作によって取得してもよいし、入力される映像信号及び表示パネル３４に表示可能な映像信号のフォーマットを判別することにより取得してもよい。
【０１０８】
そして、算出部１２２は、取得部１２１が取得した入力データを用いて、変更復号信号の垂直全ライン数を算出する（Ｓ２０４）。具体的には、算出部１２２は、復号信号の垂直有効ライン数と、出力信号の垂直全ライン数及び垂直有効ライン数とを用いて、変更復号信号の垂直全ライン数を算出する。
【０１０９】
以下に、この算出部１２２が変更復号信号の垂直全ライン数を算出する処理の詳細について、説明する。
【０１１０】
図５、図６Ａ及び図６Ｂは、本実施の形態１に係る復号信号の垂直ライン数と出力信号の垂直ライン数とを説明する図である。
【０１１１】
具体的には、図５の（ａ）は、映像信号処理装置１００に入力される映像を示す図であり、図５の（ｂ）は、表示パネル３４に表示される映像を示す図である。また、図６Ａは、映像信号処理装置１００に入力される映像信号を示す図であり、図６Ｂは、表示パネル３４に表示される映像信号を示す図である。
【０１１２】
図５の（ａ）に示すように、映像信号処理装置１００に入力される映像信号は、アスペクト比が４：３であり、垂直ライン数が４８０ラインの４８０ｐ標準フォーマットの映像信号である。つまり、復号信号のアスペクト比は４：３であり、垂直ライン数は４８０ラインである。なお、映像信号処理装置１００に入力される映像信号のフォーマットは、４８０ｐ標準フォーマットに限定されず、どのようなフォーマットであってもよい。
【０１１３】
また、図５の（ｂ）に示すように、表示パネル３４に表示される映像信号は、アスペクト比が１６：９であり、垂直ライン数が１０８０ラインの１０８０ｐ非標準フォーマットの映像信号である。つまり、出力信号のアスペクト比は１６：９であり、垂直ライン数は１０８０ラインである。なお、表示パネル３４に表示される映像信号のフォーマットは、１０８０ｐ非標準フォーマットに限定されず、どのようなフォーマットであってもよく、例えば標準フォーマットであってもよい。
【０１１４】
また、図６Ａに示すように、映像信号処理装置１００に入力される映像信号は、１垂直同期期間内での垂直ライン数である垂直全ライン数が５２５ラインの映像信号である。つまり、復号信号の垂直全ライン数は５２５ラインである。
【０１１５】
また、復号信号の１垂直同期期間内での映像期間に占める垂直ライン数は４８０ラインである。しかし、復号信号のアスペクト比４：３を、出力信号のアスペクト比１６：９に合わせるために、復号信号の垂直ライン数を４８０ラインから３６０ラインに変更しなければならない。
【０１１６】
このため、復号信号の１垂直同期期間内での映像有効期間は、３６０ライン分の期間である。つまり、復号信号の映像有効期間内での垂直ライン数である垂直有効ライン数は、３６０ラインである。
【０１１７】
また、図６Ｂに示すように、表示パネル３４に表示される映像信号は、垂直全ライン数が１１００ラインであり、垂直有効ライン数が１０８０ラインの映像信号である。つまり、出力信号の垂直全ライン数は１１００ラインであり、垂直有効ライン数は１０８０ラインである。
【０１１８】
このため、算出部１２２は、出力信号の１垂直同期期間内での映像有効期間の割合である有効割合を、垂直全ライン数に対する垂直有効ライン数の割合である９８．１％と算出する。
【０１１９】
そして、算出部１２２は、変更復号信号の有効割合が出力信号の有効割合と同じ値になるように、変更復号信号の垂直全ライン数を算出する。具体的には、出力信号の有効割合が９８．１％であり、復号信号の垂直有効ライン数が３６０ラインであるので、算出部１２２は、変更復号信号の垂直全ライン数が３６６．６７ラインであると算出する。
【０１２０】
ここでは、算出部１２２は、垂直有効ライン数が端数になる場合は、小数点以下を切り上げて垂直有効ライン数を算出し、垂直全ライン数が端数になる場合は、小数点以下も含めて垂直全ライン数を算出する。なお、算出部１２２による端数の取り扱いは上記の方法に限定されず、切捨てや四捨五入など、どのような方法で算出してもよい。
【０１２１】
図４に戻り、読出部１２３は、算出部１２２が算出した垂直全ライン数に変更した変更復号信号をデコードバッファ１１１から読み出し、読み出した変更復号信号を出力する（Ｓ２０６）。この読出部１２３が変更復号信号をデコードバッファ１１１から読み出す処理の詳細については、後述する。
【０１２２】
以上のように、復号信号変更部１２０が変更復号信号を読み出して出力する処理（図３のＳ１０８）は、終了する。
【０１２３】
次に、読出部１２３が変更復号信号をデコードバッファ１１１から読み出す処理の詳細について、説明する。
【０１２４】
まず、図１７に示された従来の映像信号処理装置３００の走査線変換部３５０が復号信号のリサイズを行う処理を説明する。
【０１２５】
図７Ａ及び図７Ｂは、従来の走査線変換部３５０が復号信号のリサイズを行う処理を説明する図である。具体的には、図７Ａは、走査線変換部３５０が復号信号をリサイズ信号記憶部３５１に書き込む処理を説明する図であり、図７Ｂは、走査線変換部３５０が復号信号をリサイズ信号記憶部３５１から読み出す処理を説明する図である。
【０１２６】
図７Ａの（ａ）に示すように、走査線変換部３５０には、図６Ａに示された復号信号と同様の、１垂直同期期間内での垂直全ライン数が５２５ラインであり、映像期間内での垂直ライン数が４８０ラインである復号信号が入力される。
【０１２７】
ここで、上述したように、当該復号信号の垂直有効ライン数は３６０ラインであるので、図７Ａの（ｂ）に示すように、走査線変換部３５０は、垂直有効ライン数が３６０ライン分の映像有効期間の復号信号を、リサイズ信号記憶部３５１に書き込む。つまり、当該復号信号の有効割合が６８．６％の状態で、復号信号をリサイズ信号記憶部３５１に書き込む。
【０１２８】
次に、図７Ｂの（ａ）に示すように、走査線変換部３５０は、図６Ｂに示された出力信号のフォーマットに合うように、復号信号をリサイズ信号記憶部３５１から読み出す。具体的には、走査線変換部３５０は、垂直有効ライン数が３６０ライン分の映像有効期間の復号信号を、有効割合が９８．１％になるように、リサイズ信号記憶部３５１から読み出す。
【０１２９】
これにより、復号信号の有効割合が出力信号の有効割合と同じ値になるので、走査線変換部３５０は、図７Ｂの（ｂ）に示すように、出力信号のフォーマットに合った復号信号を出力することができる。
【０１３０】
次に、本実施の形態１の読出部１２３が変更復号信号をデコードバッファ１１１から読み出す処理について説明する。
【０１３１】
図８は、本実施の形態１に係る読出部１２３が変更復号信号をデコードバッファ１１１から読み出す処理を説明する図である。
【０１３２】
具体的には、同図は、デコードバッファ１１１から読み出される変更復号信号を示している。ここで、デコードバッファ１１１に記憶されている復号信号は、図６Ａに示された復号信号である。
【０１３３】
つまり、読出部１２３は、変更復号信号の有効割合が出力信号の有効割合と同じ値になるように、復号信号の映像有効期間を変更して、変更した映像有効期間の復号信号を変更復号信号としてデコードバッファ１１１から読み出す。
【０１３４】
具体的には、読出部１２３は、垂直全ライン数に対する垂直有効ライン数の割合を有効割合とし、変更復号信号の有効割合が出力信号の有効割合と同じ値になるように、復号信号の垂直全ライン数を変更して、変更した垂直全ライン数の復号信号を変更復号信号としてデコードバッファ１１１から読み出す。
【０１３５】
さらに具体的には、同図の（ａ）に示すように、読出部１２３は、変更復号信号の有効割合が９８．１％になるように、復号信号の垂直全ライン数を、算出部１２２が算出した３６６．６７ラインに変更して、変更復号信号をデコードバッファ１１１から読み出す。
【０１３６】
これにより、変更復号信号の有効割合が出力信号の有効割合と同じ値になるので、読出部１２３は、同図の（ｂ）に示すように、出力信号のフォーマットに合った変更復号信号を出力することができる。
【０１３７】
以上のように、復号信号の有効割合が出力信号の有効割合と同じ値になるように変更された変更復号信号を、デコードバッファ１１１から読み出し、変更復号信号を出力する。具体的には、復号信号の垂直全ライン数を変更して、変更した垂直全ライン数の復号信号を変更復号信号としてデコードバッファ１１１から読み出し、出力する。
【０１３８】
これにより、デコードバッファ１１１から復号信号を読み出す際に、リサイズを行うために変更された復号信号をデコードバッファ１１１から直接読み出すことで、復号信号の垂直スケーリングのリサイズを行うことができる。つまり、図１７に示されたようなリサイズ信号記憶部３５１がなくても、復号信号の垂直スケーリングのリサイズを行うことができる。このため、ＤＲＡＭ３８０からリサイズ信号記憶部３５１のメモリ容量を削除することができ、リサイズ信号記憶部３５１と処理部との間のデータ転送量を削減することができる。
【０１３９】
また、メモリの記憶領域であるＮＲ／ＩＰ変換信号記憶部１４１を共用して、ノイズ低減とＩＰ変換とを行うことができるため、ノイズ低減を行う場合でもＤＲＡＭの記憶領域を追加で必要としない。
【０１４０】
また、復号信号の垂直有効ライン数を取得して、変更復号信号の垂直全ライン数を算出することで、算出された垂直全ライン数に変更した変更復号信号をデコードバッファ１１１から読み出し、出力する。このため、例えば、ユーザが設定した任意の垂直有効ライン数を取得することで、当該垂直有効ライン数に応じた変更復号信号をデコードバッファ１１１から読み出すことができる。
【０１４１】
また、出力信号のフォーマットの種別を示す情報を取得して、変更復号信号の垂直全ライン数を算出することで、算出された垂直全ライン数に変更した変更復号信号をデコードバッファ１１１から読み出し、出力する。このため、例えば、ユーザが設定した任意の出力信号のフォーマットの種別を示す情報を取得することで、当該フォーマットに応じた変更復号信号をデコードバッファ１１１から読み出すことができる。
【０１４２】
また、復号信号が変更された後に、ＯＳＤ信号が合成され、ＩＰ変換が行われる。このため、図１７に示されたようなリサイズ信号記憶部３５１がなくても、復号信号の垂直スケーリングのリサイズを行うために変更され、ＯＳＤ合成、及びＩＰ変換が行われた復号信号を生成することができる。
【０１４３】
このように、本発明に係る映像信号処理装置１００を、三次元画像用の映像信号処理装置として使用することができ、三次元画像用の映像信号処理装置において、ＤＲＡＭのメモリ容量及び処理量を低減することができる。
【０１４４】
なお、本発明に係る映像信号処理装置１００は、三次元画像用の映像信号処理装置として使用されることに限定されず、二次元画像用の映像信号処理装置のＤＲＡＭのメモリ容量及び処理量を低減することができる映像信号処理装置として使用されてもよい。
【０１４５】
次に、本発明の実施の形態１に係る映像信号処理装置１００が奏する効果について、さらに説明する。
【０１４６】
図９Ａ及び図９Ｂは、従来のＮＲ／ＩＰ変換部３４０が行う処理にＮＲ／ＩＰ変換信号記憶部３４１が必要であることを説明する図である。
【０１４７】
具体的には、図９Ａは、復号信号がインタレース方式の場合のＮＲ／ＩＰ変換信号記憶部３４１が必要であることを説明する図であり、図９Ａは、復号信号がプログレッシブ方式のＮＲ／ＩＰ変換信号記憶部３４１が必要であることを説明する図である。
【０１４８】
これらの図に示すように、ＮＲ／ＩＰ変換部３４０がＩＰ変換及びノイズ低減（同図に示す「ＮＲ」）の処理を行う際に、ＮＲ／ＩＰ変換信号記憶部３４１に、１フィールド及び２フィールド前の信号、又は１フレーム前の信号を記憶しておく必要がある。このため、ＮＲ／ＩＰ変換部３４０がＩＰ変換及びノイズ低減の処理を行うために、ＤＲＡＭ３８０の記憶領域としてのＮＲ／ＩＰ変換信号記憶部３４１が必要である。
【０１４９】
このように、ＮＲ／ＩＰ変換信号記憶部３４１を削除してＤＲＡＭ３８０のメモリ容量を低減することは、できない。
【０１５０】
これに対し、本発明に係る映像信号処理装置１００によれば、リサイズ信号記憶部３５１のメモリ容量を削除して、ＤＲＡＭ３８０のメモリ容量を低減することができる。
【０１５１】
図１０Ａ及び図１０Ｂは、従来の走査線変換部３５０がＮＲ／ＩＰ変換信号記憶部３４１からリサイズ後フォーマットの復号信号を読み出す場合の課題を説明する図である。
【０１５２】
具体的には、図１０Ａは、復号信号がインタレース方式の場合の、従来の走査線変換部３５０がＮＲ／ＩＰ変換信号記憶部３４１から復号信号を読み出す処理を説明する図である。また、図１０Ｂは、復号信号がインタレース方式の場合の、走査線変換部３５０がＮＲ／ＩＰ変換信号記憶部３４１からリサイズ後フォーマットの復号信号を読み出す場合の課題を説明する図である。
【０１５３】
なお、リサイズ後フォーマットの復号信号とは、リサイズを行うために、有効割合が出力信号の有効割合と同じ値になるように変更された復号信号をいう。また、走査線変換部３５０は、ＮＲ／ＩＰ変換信号記憶部３４１からリサイズ後フォーマットの復号信号を読み出す際に、ノイズ低減及びＩＰ変換も合わせて行う。つまり、この場合は、走査線変換部３５０は、ＮＲ／ＩＰ変換部３４０の機能も有することとする。
【０１５４】
図１０Ａに示すように、走査線変換部３５０は、ＮＲ／ＩＰ変換信号記憶部３４１に復号信号を記憶させ、ＮＲ／ＩＰ変換信号記憶部３４１から、復号信号の１フィールド前の信号（同図に示す１Ｆ前信号）と２フィールド前の信号（同図に示す２Ｆ前信号）とを読み出す。
【０１５５】
また、図１０Ｂに示すように、走査線変換部３５０がＮＲ／ＩＰ変換信号記憶部３４１からリサイズ後フォーマットの復号信号を読み出す場合は、走査線変換部３５０は、まずＮＲ／ＩＰ変換信号記憶部３４１に復号信号を記憶させる。そして、走査線変換部３５０は、ＩＰ変換を行うために、ＮＲ／ＩＰ変換信号記憶部３４１から、リサイズ後フォーマットの復号信号の１フィールド前の信号と２フィールド前の信号と現信号とを読み出す。また、走査線変換部３５０は、ノイズ低減（ＮＲ）を行うために、ＮＲ／ＩＰ変換信号記憶部３４１から、復号信号の２フィールド前の信号を読み出す。
【０１５６】
このように、走査線変換部３５０がＮＲ／ＩＰ変換信号記憶部３４１からリサイズ後フォーマットの復号信号を読み出す場合は、走査線変換部３５０は、多くの信号を読み出さなければならず、ＮＲ／ＩＰ変換信号記憶部３４１からのデータ転送量が増加する。
【０１５７】
これに対し、本発明に係る映像信号処理装置１００によれば、ＮＲ／ＩＰ変換信号記憶部３４１からのデータ転送量が増加することもなく、リサイズ信号記憶部３５１のメモリ容量を削除して、ＤＲＡＭ３８０のメモリ転送量を低減することができる。
【０１５８】
図１１Ａ、図１１Ｂ及び図１１Ｃは、従来の走査線変換部３５０が行うリサイズ処理にリサイズ信号記憶部３５１が必要であることを説明する図である。
【０１５９】
具体的には、図１１Ａは、垂直周波数を変換してリサイズ処理を行う図であり、図１１Ｂ及び図１１Ｃは、垂直周波数は変換せずに映像サイズを変換してリサイズ処理を行う図である。
【０１６０】
図１１Ａに示すように、入力される映像信号に対して１垂直同期期間が変更され、変更された出力信号が出力される。例えば、６０Ｈｚの映像信号が入力され、１２０Ｈｚの出力信号に変換され出力される。つまり、入力される映像信号が２つの出力信号に分割され、出力される。
【０１６１】
具体的には、走査線変換部３５０は、入力される１垂直同期期間内の映像信号をリサイズ信号記憶部３５１に記憶させ、リサイズ信号記憶部３５１から２つの出力信号を読み出し、出力する。
【０１６２】
このため、１垂直同期期間単位で映像信号をリサイズ信号記憶部３５１に記憶しておく必要があるため、リサイズ信号記憶部３５１を削除してＤＲＡＭ３８０のメモリ容量を低減することは、できない。
【０１６３】
また、図１１Ｂ及び図１１Ｃに示すように、入力される映像信号に対して映像サイズが変更され、変更された出力信号が出力される。例えば、１垂直同期期間内の垂直ライン数が４８０ラインの映像信号が入力され、垂直ライン数が３６０ラインの出力信号が出力される。
【０１６４】
具体的には、走査線変換部３５０は、４８０ラインの映像信号のうちの３６０ライン分の信号をリサイズ信号記憶部３５１に記憶させ、リサイズ信号記憶部３５１から当該３６０ラインの出力信号を読み出し、出力する。
【０１６５】
これにより、入力される映像信号よりも垂直ライン数の少ない信号をリサイズ信号記憶部３５１に記憶させることで、リサイズ信号記憶部３５１のメモリ容量を低減することはできるが、リサイズ信号記憶部３５１を削減することはできない。
【０１６６】
これに対し、本発明に係る映像信号処理装置１００によれば、リサイズ信号記憶部３５１のメモリ容量を削除して、ＤＲＡＭ３８０のメモリ容量及びメモリ転送量を低減することができる。
【０１６７】
（実施の形態２）
上記の実施の形態１では、映像信号処理装置１００は、符号化された映像信号の垂直スケーリングのリサイズを行うために復号信号の変更を行っていた。しかし、本実施の形態２では、映像信号処理装置１００は、符号化されていない映像信号の垂直スケーリングのリサイズを行うために当該映像信号の変更を行う。
【０１６８】
図１２は、本実施の形態２に係る映像信号処理装置１００の機能構成を示すブロック図である。
【０１６９】
同図に示すように、本実施の形態２に係る映像信号処理装置１００は、実施の形態１に係る映像信号処理装置１００の構成に加えて、非圧縮信号変更部１５０、フレームシンクロ部１６０及び切替部１７０を備えている。なお、本実施の形態２に係る映像信号処理装置１００が備える処理部のうち、実施の形態１に係る映像信号処理装置１００の各処理部と同様の機能を有するものについては、詳細な説明は省略する。
【０１７０】
ＮＲ／ＩＰ変換部１４０は、符号化されていない映像信号である非圧縮信号が入力された場合に、当該非圧縮信号をＮＲ／ＩＰ変換信号記憶部１４１に書き込み読み出すことで、時間的に前後する非圧縮信号を用いて非圧縮信号のノイズを低減するとともに、非圧縮信号がインタレース方式の場合に非圧縮信号をインタレース方式からプログレッシブ方式に変換して出力する。
【０１７１】
このＮＲ／ＩＰ変換部１４０によるノイズ低減とＩＰ変換は、実施の形態１におけるＮＲ／ＩＰ変換部１４０によるノイズ低減とＩＰ変換と同様であるため、詳細な説明は省略する。
【０１７２】
非圧縮信号変更部１５０は、ＮＲ／ＩＰ変換部１４０が出力した非圧縮信号をデコードバッファ１１１に記憶させる。また、非圧縮信号変更部１５０は、非圧縮信号の１垂直同期期間内での映像有効期間が出力信号の１垂直同期期間内での映像有効期間と同じ値になるように変更された非圧縮信号を変更非圧縮信号としてデコードバッファ１１１から読み出し、読み出した変更非圧縮信号を出力する。
【０１７３】
具体的には、非圧縮信号変更部１５０は、非圧縮信号の有効割合が出力信号の有効割合と同じ値になるように変更された非圧縮信号を変更非圧縮信号としてデコードバッファ１１１から読み出し、読み出した変更非圧縮信号を出力する。
【０１７４】
なお、ここでの出力信号は、実施の形態１と同様に、表示パネル３４へ出力される映像信号であるが、当該映像信号が表示パネル３４に出力される前にフレームバッファなどの記憶部に記憶される場合は、当該記憶部へ出力される映像信号であってもよい。
【０１７５】
また、実施の形態１における復号信号変更部１２０と同様に、非圧縮信号変更部１５０がＤＲＡＭ１８０から変更非圧縮信号を読み出す際に、読み出し時の揺らぎが発生し、読み出す変更非圧縮信号の垂直ライン数に誤差が生じる。この誤差は、通常、−１ライン〜＋１ラインであり、大きくても−２ライン〜＋２ライン程度である。このため、非圧縮信号変更部１５０が変更するライン数は、最大で−２ライン〜＋２ライン程度の誤差が許容される。
【０１７６】
切替部１７０は、ＮＲ／ＩＰ変換部１４０に非圧縮信号が入力された場合に、デコーダ１１０に復号信号の生成を停止させる。具体的には、切替部１７０は、ＮＲ／ＩＰ変換部１４０に非圧縮信号が入力された場合に、非圧縮信号変更部１５０に対してデコードバッファ１１１へのアクセス許可を行い、デコーダ１１０に対してはデコードバッファ１１１へのアクセス不許可を行う。なお、切替部１７０は、ＮＲ／ＩＰ変換部１４０に非圧縮信号が入力されたことを、ＮＲ／ＩＰ変換部１４０から取得してもよいし、ユーザの入力により取得してもよい。
【０１７７】
このように、デコードバッファ１１１は、ＮＲ／ＩＰ変換部１４０に非圧縮信号が入力された場合に、復号信号に代えて、非圧縮信号を記憶しているＤＲＡＭ１８０の記憶領域である。なお、符号化された映像信号がデコーダ１１０に入力され復号された場合は、非圧縮信号変更部１５０は機能せず、非圧縮信号変更部１５０に入力された信号はそのまま出力される。
【０１７８】
フレームシンクロ部１６０は、非圧縮信号変更部１５０が出力した変更非圧縮信号のフレームレートを、出力信号のフレームレートに変換する。外部から入力される非圧縮信号は、出力に合ったフレームレートでない場合が多く、出力信号に合ったフレームレートに変換する必要が生じるためである。具体的には、フレームシンクロ部１６０は、デコードバッファ１１１に当該変更非圧縮信号を書き込み読み出すことで、フレームレートを変換する。
【０１７９】
なお、フレームシンクロ部１６０は、非圧縮信号変更部１５０が出力した変更非圧縮信号のフレームレートを出力信号のフレームレートに変換するフレームシンクロを、非圧縮信号変更部１５０のデコードバッファ１１１との書き込みと読み出しを用いて行うことにしてもよい。つまり、非圧縮信号変換部１５０とフレームシンクロ部１６０とが順に処理するのではなく、非圧縮信号変換部１５０によるデコードバッファ１１１への書き込みと読み出しの処理と同時にフレームレート変換の処理を行うこともできる。この場合、非圧縮信号変換部による処理とフレームシンクロ部による処理をデコードバッファを用いて同時に行うことで、ＤＲＡＭのメモリ容量及び処理量を低減することができる。
【０１８０】
また、図１に示されたＨＤＭＩ通信部３２には、外部から非圧縮信号が入力されることとし、ＨＤＭＩ通信部３２は、当該非圧縮信号をＮＲ／ＩＰ変換部１４０に出力する。
【０１８１】
また、デコーダ１１０は、切替部１７０からの指示に従い、ＮＲ／ＩＰ変換部１４０に非圧縮信号が入力された場合に、復号信号の生成を停止する。当該非圧縮信号は、符号化されていない映像信号であるため、復号する必要がないからである。
【０１８２】
次に、本実施の形態２に係る映像信号処理装置１００が行う映像信号の処理の一例について、説明する。
【０１８３】
図１３は、本実施の形態２に係る映像信号処理装置１００が行う映像信号の処理の一例を示すフローチャートである。
【０１８４】
同図に示すように、まず、ＨＤＭＩ通信部３２を介して、ＮＲ／ＩＰ変換部１４０に非圧縮信号が入力される（Ｓ３０２）。
【０１８５】
ＮＲ／ＩＰ変換部１４０に非圧縮信号が入力されると、切替部１７０がデコーダ１１０に復号信号の生成を停止させる指示を行い、デコーダ１１０は、復号信号の生成を停止する（Ｓ３０４）。
【０１８６】
そして、ＮＲ／ＩＰ変換部１４０は、非圧縮信号のノイズを低減するとともに、非圧縮信号をＩＰ変換する（Ｓ３０６）。
【０１８７】
次に、非圧縮信号変更部１５０は、ノイズ低減されＩＰ変換された非圧縮信号を、デコードバッファ１１１に記憶させる（Ｓ３０８）。
【０１８８】
そして、非圧縮信号変更部１５０は、非圧縮信号の有効割合が出力信号の有効割合と同じ値になるように変更された非圧縮信号を変更非圧縮信号としてデコードバッファ１１１から読み出し、読み出した変更非圧縮信号を出力する（Ｓ３１０）。
【０１８９】
そして、フレームシンクロ部１６０は、非圧縮信号変更部１５０が出力した変更非圧縮信号のフレームレートを、出力信号のフレームレートに変換する（Ｓ３１２）。
【０１９０】
なお、このフレームレートの変換は、非圧縮信号変更部１５０におけるデコードバッファへの書き込みと読み出しを用いて行うことも可能である。
【０１９１】
以上により、本実施の形態２に係る映像信号処理装置１００が行う映像信号の処理は、終了する。
【０１９２】
次に、本発明の実施の形態２に係る映像信号処理装置１００が奏する効果について、以下に説明する。
【０１９３】
まず、以下に、本実施の形態２に係る映像信号処理装置１００がフレームレート変換を行う際の効果について説明する。
【０１９４】
図１４Ａ及び図１４Ｂは、本実施の形態２に係る映像信号処理装置１００がフレームレート変換を行う際の効果を説明する図である。具体的には、図１４Ａは、入力される映像信号がインタレース方式の場合でのフレームレート変換を示す図であり、図１４Ｂは、入力される映像信号がプログレッシブ方式の場合でのフレームレート変換を示す図である。
【０１９５】
図１４Ａに示すように、入力された映像信号（同図の（ａ）に示す映像信号）のフレームレートと、出力信号（同図の（ｂ）に示す映像信号）のフレームレートとが異なる場合、入力された映像信号のフレームレートを出力信号のフレームレートに変換する必要がある。
【０１９６】
ここで、インタレース方式で入力された映像信号では、同図の（ａ）に示すように、ＴｏｐフレームとＢｏｔｔｏｍフレームとが交互に配列している。また、出力信号は、入力信号のフレーム数６枚分と同じ時間内でのフレーム数が８枚のフレームレートを有する信号であることとする。
【０１９７】
この場合、同図の（ｂ）に示すように、出力信号は、ＴｏｐフレームとＢｏｔｔｏｍフレームとが交互に配列されるように、入力信号のフレーム間に２枚のフレームが挿入される。具体的には、出力信号には、ＴｏｐフレームとＢｏｔｔｏｍフレームとを交互に配列させるために、入力信号の２枚目のＢｏｔｔｏｍフレーム（同図に示す「２Ｂｏｔｔｏｍ」）のあとに、１枚目のＴｏｐフレーム（同図に示す「１Ｔｏｐ」）と２枚目のＢｏｔｔｏｍフレーム（同図に示す「２Ｂｏｔｔｏｍ」）とが挿入される。
【０１９８】
これにより、入力信号の２枚目のＢｏｔｔｏｍフレームのあとに、１枚目のＴｏｐフレームが配置され、時刻的な戻りが発生するため、当該映像を見るユーザに違和感が生じる。
【０１９９】
このように、入力される映像信号がインタレース方式の場合では、フレームレート変換の性能が低下する。
【０２００】
これに対し、図１４Ｂに示すように、入力される映像信号がプログレッシブ方式の場合では、ＴｏｐやＢｏｔｔｏｍのフレームがなく、ＴｏｐフレームとＢｏｔｔｏｍフレームとを交互に配列させるような必要がない。つまり、フレームレート変換によるフレームの挿入を行っても時刻的な戻りは発生しない。
【０２０１】
具体的には、プログレッシブ方式で入力された映像信号では、同図の（ａ）に示すように、フレームが順に配列している。また、出力信号は、入力信号のフレーム数６枚分と同じ時間内でのフレーム数が８枚のフレームレートを有する信号であることとする。
【０２０２】
この場合、同図の（ｂ）に示すように、出力信号は、入力信号の２枚目のフレームのあとに２枚目のフレームが挿入され、４枚目のフレームのあとに４枚目のフレームが挿入される。
【０２０３】
これにより、フレームが挿入されても時刻的な戻りが発生しないため、入力される映像信号がプログレッシブ方式であれば、フレームレート変換における性能低下を抑制することができる。
【０２０４】
ここで、図１８に示された映像信号変換装置は、フレームレート変換にフィールドメモリ部７を共用して使用する場合は、フレームレート変換を行ったあとにＩＰ変換を行うことになるため、インタレース方式の映像信号に対してフレームレート変換を行わなければならない。このため、フレームレート変換における性能は低下する。
【０２０５】
また、図１８に示された映像信号変換装置において、ＩＰ変換後にフレームレート変換を行う場合は、フレームレート変換用の記憶領域が必要であるため、ＤＲＡＭの記憶領域が追加で必要になる。
【０２０６】
これに対し、本実施の形態２における映像信号処理装置１００では、フレームシンクロ部１６０は、ＩＰ変換後の変更非圧縮信号をデコードバッファ１１１に書き込み読み出すことで、フレームレートを変換する。つまり、フレームシンクロ部１６０は、デコードバッファ１１１の記憶領域を共用して、プログレッシブ方式の映像信号をフレームレート変換する。
【０２０７】
なお、デコーダ１１０に入力される符号化された映像信号は、通常、出力信号のフレームレートと同じフレームレートの信号である。このため、デコーダ１１０に映像信号が入力されデコードバッファ１１１に復号信号が記憶されている場合は、フレームシンクロ部１６０は、機能を停止しており、デコードバッファ１１１の記憶領域を使用しないため、ＤＲＡＭ１８０の記憶領域を追加で必要としない。
【０２０８】
以上により、本実施の形態２における映像信号処理装置１００では、フレームレート変換における性能低下を抑制することができる。
【０２０９】
図１５は、本実施の形態２に係る映像信号処理装置１００が奏する効果をまとめた図である。
【０２１０】
同図に示すように、ビデオストリームなどの符号化された映像信号が入力された場合は、図１７に示された従来の映像信号処理装置（図１５に示された「従来１」）では、デコードバッファ用のメモリ１と、ノイズ低減及びＩＰ変換用のメモリ２と、走査線変換用のメモリ３の３つのメモリが必要である。
【０２１１】
また、同様に、図１８に示された従来の映像信号処理装置（図１５に示された「従来２」）では、デコードバッファ用のメモリ１と、ノイズ低減用のメモリ２と、ＩＰ変換及び走査線変換用のメモリ３の３つのメモリが必要である。
【０２１２】
また、本実施の形態２に係る映像信号処理装置１００（図１５に示された「本発明」）では、デコードバッファ及び走査線変換用のメモリ１と、ノイズ低減及びＩＰ変換用のメモリ２の２つのメモリしか必要としない。
【０２１３】
また、外部入力により非圧縮の映像信号が入力された場合は、「従来１」、「従来２」及び「本発明」ともに、２つのメモリが必要であるが、「本発明」は「従来２」に比べて、フレームレート変換による性能（図１５に示された「フレームシンクロ性能」）の低下を抑制することができる。
【０２１４】
なお、実施の形態１においても、同図での符号化された映像信号が入力された場合の効果と同じ効果を奏する。つまり、本実施の形態２において符号化された映像信号が入力された場合は、上記実施の形態１で説明した効果と同じ効果を奏する。
【０２１５】
このように、非圧縮信号が入力された場合に、復号処理を停止するとともに、デコードバッファ１１１に非圧縮信号を書き込み、デコードバッファ１１１から変更非圧縮信号を読み出す。つまり、非圧縮信号が入力された場合は、復号処理を停止できるため、デコードバッファ１１１には復号信号の代わりに非圧縮信号を記憶させることができる。このため、ＤＲＡＭ１８０のデコードバッファ１１１の記憶領域を非圧縮信号に割り当てることができるため、デコードバッファ１１１を用いて非圧縮信号の垂直スケーリングのリサイズを行うことができる。
【０２１６】
また、非圧縮信号が入力された場合でも、ＤＲＡＭ１８０の１つの記憶領域であるデコードバッファ１１１を共用してノイズ低減とＩＰ変換とを行うことができるため、ノイズ低減を行ってもＤＲＡＭ１８０の記憶領域を追加で必要としない。
【０２１７】
また、非圧縮信号変更部１５０が出力した変更非圧縮信号は、ＩＰ変換が行われているため、プログレッシブ方式に変換されている。ここで、インタレース方式の映像信号をフレームレート変換する場合は、プログレッシブ方式の映像信号をフレームレート変換する場合に比べて、フレームレート変換の性能が劣る。このため、ＩＰ変換が行われた変更非圧縮信号をフレームレート変換することで、フレームレート変換の性能低下を抑制することができる。
【０２１８】
したがって、非圧縮信号が入力される場合でも、フレームレート変換の性能低下を抑制しつつ、ＤＲＡＭ１８０のメモリ容量及び処理量を低減することができる。
【０２１９】
なお、本発明に係る映像信号処理装置１００は、図１６に示すようなデジタルビデオレコーダ２０及びデジタルテレビ３０に搭載される。
【０２２０】
以上、本発明の実施の形態１及び２に係る映像信号処理装置１００について説明したが、本発明は、これらの実施の形態に限定されるものではない。本発明の趣旨を逸脱しない限り、当業者が思いつく各種変形を当該実施の形態に施したものや、異なる実施の形態における構成要素を組み合わせて構築される形態も、本発明の範囲内に含まれる。
【０２２１】
例えば、上記実施の形態では、映像信号処理装置１００は、図２又は図１２に示される各処理部を備えていることとしたが、映像信号処理装置１００は、これらの図に示された処理部以外の処理部を備えていてもよい。例えば、映像信号処理装置１００は、入力される映像の水平方向の画像サイズをリサイズ、すなわち、拡大又は縮小する処理部を備えていてもよい。
【０２２２】
また、上記実施の形態では、映像信号処理装置１００の構成は、本発明を具体的に説明するために例示するためのものであり、本発明に係る映像信号処理装置は、上記構成の全てを必ずしも備える必要はない。
【０２２３】
例えば、上記実施の形態１では、映像信号処理装置１００は、デコーダ１１０、デコードバッファ１１１、復号信号変更部１２０、ＮＲ／ＩＰ変換部１４０及びＮＲ／ＩＰ変換信号記憶部１４１を備えていればよく、ＯＳＤ合成部１３０及びＯＳＤ信号記憶部１３１は必ずしも備えている必要はない。
【０２２４】
また、上記実施の形態２では、映像信号処理装置１００は、デコーダ１１０、デコードバッファ１１１、復号信号変更部１２０、ＮＲ／ＩＰ変換部１４０、ＮＲ／ＩＰ変換信号記憶部１４１及び非圧縮信号変更部１５０を備えていればよく、ＯＳＤ合成部１３０、ＯＳＤ信号記憶部１３１及びフレームシンクロ部１６０は必ずしも備えている必要はない。
【０２２５】
また、復号信号変更部１２０は、読出部１２３を備えていればよく、取得部１２１及び算出部１２２は必ずしも備えている必要はない。
【０２２６】
また、上記実施の形態では、算出部１２２は、取得部１２１が取得したデータを用いて、変更復号信号の垂直全ライン数を算出することとした。しかし、復号信号の垂直有効ライン数、出力信号の垂直全ライン数及び垂直有効ライン数などのデータが予め設定されており、算出部１２２は、当該予め定められたデータを用いて、変更復号信号の垂直全ライン数を算出することにしてもよい。
【０２２７】
また、同様に、変更復号信号の垂直全ライン数が予め設定されており、読出部１２３は、当該予め定められた垂直全ライン数に従って、変更復号信号をデコードバッファ１１１から読み出すことにしてもよい。
【０２２８】
また、上記実施の形態では、本発明に係る映像信号処理装置１００をデジタルテレビ及びデジタルビデオレコーダに適用した例を述べたが、本発明に係る映像信号処理装置１００は、デジタルテレビ以外の三次元画像を表示する三次元画像表示装置（例えば、携帯電話機器、パーソナルコンピュータ等）に適用できる。また、本発明に係る映像信号処理装置１００は、デジタルビデオレコーダ以外の三次元画像を出力する三次元画像出力装置（例えば、ＢＤプレーヤ等）に適用できる。
【０２２９】
また、上記実施の形態１及び２に係る映像信号処理装置１００は典型的には集積回路であるＬＳＩとして実現される。これらは個別に１チップ化されてもよいし、一部又はすべてを含むように１チップ化されてもよい。
【０２３０】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０２３１】
さらには、半導体技術の進歩又は派生する別技術によりＬＳＩに置き換わる集積回路化の技術が登場すれば、当然、その技術を用いて各処理部の集積化を行ってもよい。
【０２３２】
また、上記実施の形態１及び２に係る映像信号処理装置１００及び１００Ｂの機能の一部又は全てを、ＣＰＵ等のプロセッサがプログラムを実行することにより実現してもよい。
【０２３３】
さらに、本発明は上記プログラムであってもよいし、上記プログラムが記録された記録媒体であってもよい。また、上記プログラムは、インターネット等の伝送媒体を介して流通させることができるのは言うまでもない。
【０２３４】
また、上記で用いた数字は、すべて本発明を具体的に説明するために例示するものであり、本発明は例示された数字に制限されない。
【産業上の利用可能性】
【０２３５】
本発明に係る映像信号処理装置は、ＤＲＡＭのメモリ容量及び処理量を低減することができるという効果を奏し、例えば、デジタルテレビ及びデジタルビデオレコーダ等に適用することができる。
【符号の説明】
【０２３６】
１０  三次元画像表示システム
２０  デジタルビデオレコーダ
２１、３１  入力部
２２、３２  ＨＤＭＩ通信部
３０  デジタルテレビ
３３  出力信号制御部
３４  表示パネル
４１  光ディスク
４２  放送波
１００、１００Ｂ、３００  映像信号処理装置
１１０、３１０  デコーダ
１１１、３１１  デコードバッファ
１２０  復号信号変更部
１２１  取得部
１２２  算出部
１２３  読出部
１３０、３３０  ＯＳＤ合成部
１３１、３３１  ＯＳＤ信号記憶部
１４０、３４０  ＮＲ／ＩＰ変換部
１４１、３４１  ＮＲ／ＩＰ変換信号記憶部
１５０  非圧縮信号変更部
１６０  フレームシンクロ部
１７０  切替部
１８０、３８０  ＤＲＡＭ
３２０  映像読出部
３５０  走査線変換部
３５１  リサイズ信号記憶部
【図１】
2011114633.tif 000003
【図２】
2011114633.tif 000004
【図３】
2011114633.tif 000005
【図４】
2011114633.tif 000006
【図５】
2011114633.tif 000007
【図６Ａ】
2011114633.tif 000008
【図６Ｂ】
2011114633.tif 000009
【図７Ａ】
2011114633.tif 000010
【図７Ｂ】
2011114633.tif 000011
【図８】
2011114633.tif 000012
【図９Ａ】
2011114633.tif 000013
【図９Ｂ】
2011114633.tif 000014
【図１０Ａ】
2011114633.tif 000015
【図１０Ｂ】
2011114633.tif 000016
【図１１Ａ】
2011114633.tif 000017
【図１１Ｂ】
2011114633.tif 000018
【図１１Ｃ】
2011114633.tif 000019
【図１２】
2011114633.tif 000020
【図１３】
2011114633.tif 000021
【図１４Ａ】
2011114633.tif 000022
【図１４Ｂ】
2011114633.tif 000023
【図１５】
2011114633.tif 000024
【図１６】
2011114633.tif 000025
【図１７】
2011114633.tif 000026
【図１８】
2011114633.tif 000027
【図１９Ａ】
2011114633.tif 000028
【図１９Ｂ】
2011114633.tif 000029
【国際調査報告】
2011114633.tif 000030
2011114633.tif 000031
2011114633.tif 000032
2011114633.tif 000033